(57)【特許請求の範囲】
【請求項１】
電子機器用ケースであって、
第１の押圧部を有する第１の面と、第２の押圧部を有する第２の面と、該第１の面と第２の面を連結するプレートとを含み、その中に電子機器が取り外し可能にフィットするように適合したメインフレームと；
第３の押圧部を有し、前記第１の面に沿ってスライド可能に該第１の面に取り付けられた第１のフィットプレートと；
第４の押圧部を有し、前記第２の面に沿ってスライド可能に該第２の面に取り付けられた第２のフィットプレートと；
前記第１のフィットプレートに作動的に連結されるように前記プレートに回動可能に取り付けられた第１フィットレバーと；
前記第２のフィットプレートに作動的に連結されるように前記プレートにその第１端部が回動可能に取り付けられ、第２端部が前記第１フィットレバーの回動と連動可能に該第１フィットレバーに取り付けられた第２フィットレバーとを具備し；
前記第１及び第２フィットレバーは前記第１及び第２のフィットプレートの前記第３及び第４押圧部がそれぞれ前記第１及び第２の面の前記第１及び第２押圧部に干渉しない引き起こし位置と、前記第１及び第２のフィットプレートをスライドさせて前記第３及び第４押圧部が前記第１及び第２の面の前記第１及び第２押圧部と押圧し合う押し込み位置との間で移動可能であることを特徴とする電子機器用ケース。
【請求項２】
前記第１フィットレバーは概略Ｃ形状のスロットを有しており、前記第１フィットレバーの前記スロット中にスライド可能に挿入され、前記第２フィットレバーの前記第２端部を前記第１フィットレバーに回動可能且つスライド可能に取り付ける第１ピンを更に具備した請求項１記載の電子機器用ケース。
【請求項３】
前記第１のフィットプレートは第１の長穴を有し、前記第２のフィットプレートは第２の長穴を有しており、
前記第１フィットレバーは第１の穴を有し、前記第２フィットレバーは前記第１端部に第２の穴を有しており、
前記第１の長穴及び前記第１の穴中に挿入されて前記第１のフィットプレートを前記第１フィットレバーに作動的に連結する第２ピンと、
前記第２の長穴及び前記第２の穴中に挿入されて前記第２のフィットプレートを前記第２フィットレバーに作動的に連結する第３ピンとを更に具備した請求項２記載の電子機器用ケース。
【請求項４】
電子機器と、前記電子機器が装着される電子機器用ケースとを備える電子機器ユニットであって、
前記電子機器用ケースは、
第１の押圧部を有する第１の面と、第２の押圧部を有する第２の面と、該第１の面と第２の面を連結するプレートとを含み、その中に前記電子機器が取り外し可能にフィットするように適合したメインフレームと；
第３の押圧部を有し、前記第１の面に沿ってスライド可能に該第１の面に取りつけられた第１のフィットプレートと；
第４の押圧部を有し、前記第２の面に沿ってスライド可能に該第２の面に取りつけられた第２のフィットプレートと；
前記第１のフィットプレートに作動的に連結されるように前記プレートに回動可能に取りつけられた第１フィットレバーと；
前記第２のフィットプレートに作動的に連結されるように前記プレートにその第１端部が回動可能に取りつけられ、第２端部が前記第１フィットレバーの回動と連動可能に該第１フィットレバーに取りつけられた第２フィットレバーとを具備し；
前記第１及び第２フィットレバーは、前記第３及び第４押圧部がそれぞれ前記第１及び第２押圧部に干渉しない引き起こし位置と、前記第１及び第２のフィットプレートをスライドさせて前記第３及び第４押圧部が前記第１及び第２押圧部と押圧し合う押し込み位置との間で移動可能であることを特徴とする電子機器ユニット。
【請求項５】
電子機器が装着される電子機器用ケースを備える電子機器ユニットを有する情報処理装置であって、
前記電子機器用ケースは、
第１の押圧部を有する第１の面と、第２の押圧部を有する第２の面と、該第１の面と第２の面を連結するプレートとを含み、その中に前記電子機器が取り外し可能に取りつけられるメインフレームと；
前記第１の押圧部に対向する位置に配置された第３の押圧部を有し、前記第１の面に沿ってスライド可能に該第１の面に取りつけられた第１のフィットプレートと；
前記第２の押圧部に対向する位置に配置された第４の押圧部を有し、前記第２の面に沿ってスライド可能に該第２の面に取りつけられた第２のフィットプレートと；
前記第１のフィットプレートに回動可能に取りつけられ、その回動により前記第１のフィットプレートをスライドさせる第１フィットレバーと；
前記第２のフィットプレートに回動可能に取りつけられ、その回動により前記第２のフィットプレートをスライドさせる第２フィットレバーとを具備し；
前記第１フィットレバーは、第１の位置にあるときに前記第３の押圧部と前記第１の押圧部とが干渉しない位置に前記第１のフィットプレートをスライドさせるとともに、第２の位置にあるときに前記第３の押圧部と前記第１の押圧部とが干渉する位置に前記第１のフィットプレートをスライドさせ、
前記第２フィットレバーは、第１の位置にあるときに前記第４の押圧部と前記第２の押圧部とが干渉しない位置に前記第２のフィットプレートをスライドさせるとともに、第２の位置にあるときに前記第４の押圧部と前記第２の押圧部とが干渉する位置に前記第２のフィットプレートをスライドさせることを特徴とする情報処理装置。
【発明の詳細な説明】
【０００１】
【発明の属する技術分野】
本発明は一般的に電子機器を内部に収容するケースに関し、特に、サーバ及びワークステーション等のコンピュータに対して取り外し可能に搭載可能なハードディスクドライブ（ＨＤＤ）を内部に収容するケースに関する。
【０００２】
【従来の技術】
近年、コンピュータ用外部記憶装置の一種であるＨＤＤの小型化及び大容量化が望まれている。ＨＤＤの大容量化のためには、スピンドルに取り付けられる磁気ディスクの枚数を増やすのが一つの方法であり、これにともない最近のＨＤＤではディスクの実装間隔が小さくなってきている。
【０００３】
ＨＤＤは、今後更に大容量化及び高速化が進み、ディスクドライブの微細なヘッドの揺れがディスク上の隣接するトラックを侵犯してデータの読み違い又はデータ化け等のオフトラック障害を引き起こす恐れがある。このオフトラック障害はディスクドライブ自身のスピンドルモータの振動等によっても発生する。
【０００４】
サーバ及びワークステーション等のホストコンピュータでは、ローカルエリアネットワーク（ＬＡＮ）等の通信ネットワークを介して数多くの下位コンピュータに接続されており、ホストコンピュータの電源を入れたままでディスクドライブユニットを収容するシェルフに対してディスクドライブユニットを容易に挿抜可能な、いわゆる活性ディスクドライブユニットが採用されている。
【０００５】
活性ディスクドライブユニットは、ハードディスクドライブ等のディスクドライブと、該ディスクドライブを内部に収容するケースから構成されており、ホストコンピュータの電源を断たずにコンピュータ内に収容されたシェルフに対して必要に応じて挿抜される。
【０００６】
従来の活性ディスクドライブ用のケースはプラスチックモールドで製作されており、一体的にモールド成形された複数の切起こし部を有している。これらの切起こし部をディスクドライブユニットを収容するシェルフに形成されたガイドレールに押し当てて、プラスチックのバネ作用を利用して振動を緩和させている。
【０００７】
【発明が解決しようとする課題】
従来のプラスチックのバネアクションを利用した振動緩和方法では、シェルフのガイドレールと活性ディスクドライブユニット間のガタツキを完全に吸収することが出来ず、このガタツキによりスピンドルモータ又はコンピュータ内の冷却ファン等の振動に基くヘッドの揺れを増幅させることがあり、ヘッドのオフトラック障害を回避することができないという問題があった。
【０００８】
よって、本発明の目的は、活性電子機器ユニットとシェルフのガイドレールとの間のガタツキを完全に吸収することが可能な電子機器用ケースを提供することである。
【０００９】
【課題を解決するための手段】
本発明によると、電子機器用ケースであって、第１の押圧部を有する第１の面と、第２の押圧部を有する第２の面と、該第１の面と第２の面を連結するプレートとを含み、その中に電子機器が取り外し可能にフィットするように適合したメインフレームと；第３の押圧部を有し、前記第１の面に沿ってスライド可能に該第１の面に取り付けられた第１のフィットプレートと；第４の押圧部を有し、前記第２の面に沿ってスライド可能に該第２の面に取り付けられた第２のフィットプレートと；前記第１のフィットプレートに作動的に連結されるように前記プレートに回動可能に取り付けられた第１フィットレバーと；前記第２のフィットプレートに作動的に連結されるように前記プレートにその第１端部が回動可能に取り付けられ、第２端部が前記第１フィットレバーの回動と連動可能に該第１フィットレバーに取り付けられた第２フィットレバーとを具備し；前記第１及び第２フィットレバーは前記第１及び第２のフィットプレートの第３及び第４押圧部がそれぞれ第１及び第２の面の第１及び第２押圧部に干渉しない引き起こし位置と、前記第１及び第２のフィットプレートをスライドさせて第３及び第４押圧部が前記第１及び第２の面の第１及び第２押圧部と押圧し合う押し込み位置との間で移動可能であることを特徴とする電子機器用ケースが提供される。
【００１０】
好ましくは、第１の面に形成された複数の第１の押圧部と第１のフィットプレートに形成された複数の第３の押圧部とは同一ピッチで形成されている。同様に、第２の面に形成された複数の第２の押圧部と第２のフィットプレートに形成された複数の第４の押圧部とは同一ピッチで形成されている。
【００１１】
前記プレートは第１プレートと第２プレートから構成されており、前記第１及び第２フィットレバーを押し込み位置に移動させると、該第１及び第２フィットレバーは前記第１及び第２プレートの間に収容される。
【００１２】
電子機器がケース内に収容された電子機器ユニットは、コンピュータに搭載されたシェルフ内に挿入又は抜去される。シェルフは複数のガイドレールを有しており、これらのガイドレールに沿って電子機器ユニットはシェルフに対して挿抜される。
【００１３】
電子機器ユニットがシェルフ内に完全に挿入されると、第１及び第２フィットレバーは押し込み位置に移動され、これに応じて第１及び第２フィットプレートがスライドされてそれぞれの押圧部が第１面及び第２面の押圧部に乗り上げる。
【００１４】
よって、電子機器ユニットの高さ方向の距離が拡大され、第１及び第２フィットプレートがシェルフに強制的に押しつけられる。その結果、電子機器ユニットとこれを収容するシェルフとの間のガタが完全に解消される。
【００１５】
電子機器ユニットをシェルフから抜き出す場合には、第１及び第２フィットレバーを引き起こし位置に移動する。これに応じて、第１及び第２のフィットプレートの押圧部が第１面及び第２面の押圧部に干渉しない位置まで、第１及び第２のフィットプレートは移動される。
【００１６】
その結果、電子機器ユニットの高さ方向の距離が小さくなるので、電子機器ユニットを収納シェルフから容易に抜き出すことができる。
【００１８】
【発明の実施の形態】
図１を参照すると、本発明の活性ディスクドライブユニットを搭載したサーバの外観斜視図が示されている。サーバ２のメインフレーム４には一対のパネルカバー６ａ，６ｂと，同じく一対の前部カバー８ａ，８ｂが取り付けられている。符号１０はフロッピーディスクドライブを示しており、１２は操作パネルを示している。
【００１９】
図２にはパネルカバー６ａ，６ｂ、前部カバー８ａ，８ｂ、フロッピーディスクドライブ１０及び操作パネル１２を取り外した状態のサーバの外観斜視図が示されており、活性ディスクドライブユニットの実装方法を説明している。
【００２０】
１４は複数のガイドレール１６を有するシェルフであり、これらのガイドレール１６に沿って活性ディスクドライブユニット１８がシェルフ１４内に挿入される。
【００２１】
実際には、シェルフ１４はサーバ２のメインフレーム４内に収容されており、前部カバー８ａ，８ｂを開いて、活性ディスクドライブユニット１８をシェルフ１４内に挿入し、又はシェルフ１４から抜き出す。符号１９は冷却ファンである。
【００２２】
サーバ２は、図示しないローカルエリアネットワーク（ＬＡＮ）等の通信ネットワークを介して複数の下位コンピュータ等に接続されているため、各活性ディスクドライブユニット１８のシェルフ１４に対する挿抜はサーバ２の電源がオンのままで行われる。
【００２３】
図３を参照すると、本発明実施形態に係る活性ディスクドライブユニット１８の斜視図が示されており、図４は図３と反対側からの斜視図を示している。図５は活性ディスクドライブユニット１８の分解斜視図を示している。
【００２４】
活性ディスクドライブユニット１８はケース２０と、ケース２０内に収容されたハードディスクドライブ（ＨＤＤ）３０から構成される。主に図５を参照すると、ケース２０は樹脂モールド成形されたメインフレーム２２を含んでいる。
【００２５】
メインフレーム２２は開口２３と、上壁２４と、底壁２６と、上壁２４及び低壁２６を連結する一対の前部プレート２８を有している。メインフレーム２２内にはＨＤＤ３０がガタツキなく丁度フィットして収容される。
【００２６】
上壁２４の上面には一対のガイド溝３２と、等ピッチ間隔の複数の係合突起３４が形成されている。同様に、底壁２６の底面には特に図示しないが一対のガイド溝と、等ピッチ間隔の複数の係合突起が形成されている。
【００２７】
符号３６は樹脂モールドから形成された上部フィットプレートであり、その前端部に一対の取り付け部３８を有している。各取り付け部３８には上部フィットプレート３６の長手方向に伸長した長穴４０と、該長穴４０に対して垂直方向に伸長した長穴４２が形成されている。
【００２８】
上部フィットプレート３６の下面には、上壁２４のガイド溝３２に係合する一対のガイドレールと、上壁２４の係合突起３４と同一ピッチの複数の係合突起が形成されている。
【００２９】
下部フィットプレート４４は上部フィットプレート３６と同一形状をしており、樹脂モールドにより形成される。下部フィットプレート４４の上面には底壁２６に形成された一対のガイド溝に嵌合する一対のガイドレール４６と、底壁２６の複数の係合突起と同一ピッチの複数の係合突起４８が形成されている。
【００３０】
下部フィットプレート４４の前端部には一対の取り付け部５０が一体的に形成されており、各取り付け部５０は下部フィットプレート４４の長手方向に伸長する長穴５２と、長穴５２に対して垂直方向に伸長する長穴５４を有している。
【００３１】
メインフレーム２２の各前部プレート２８の概略中央部にはオペレーターの指の挿入を許容する概略半円状の切欠５６が形成されている。更に、各前部プレート２８の上端部及び下端部にはそれぞれ穴５８，６０が形成されている。
【００３２】
符号６２は樹脂モールドにより形成された第１フィットレバーを示しており、概略Ｃ形状のスロット６４と２個の穴６６，６８を有している。第２フィットレバー７０も同様に樹脂モールドにより形成されており、その下端部に２個の穴７２，７４と、上端部に１個の穴７６を有している。
【００３３】
樹脂モールド成形されたブロック７８は２個の突起８０，８２と、穴８４と，長穴８６を有している。ブロック７８と同一形状のブロック８８は２個の突起９０，９２と，穴９４と、長穴９６を有している。
【００３４】
ケース２０を組み立てるには、上部フィットプレート３６の一対の取り付け部３８の間に第１フィットレバー６２とブロック７８を挿入し、ピン１００を取り付け部３８の長穴４２、第１フィットレバー６２の穴６８、ブロック７８の長穴８６中に挿入する。これにより、第１フィットレバー６２及びブロック７８が上部フィットプレート３６の取り付け部３８に取り付けられる。
【００３５】
次いで、上部フィットプレート３６のガイドレールを上壁２４のガイド溝３２中に挿入し、更にピン１０２をメインフレーム２２の穴５８、上部フィットプレート３６の長穴４０、第１フィットレバー６２の穴６６及びブロック７８の穴８４中に挿入する。これにより、上部フィットプレート３６、第１フィットレバー６２及びブロック７８がメインフレーム２２に取り付けられたことになる。
【００３６】
次いで、下部フィットプレート４４の一対の取り付け部５０の間に第２フィットレバー７０及びブロック８８を挿入し、ピン１０４を下部フィットプレート４４の長穴５４、第２フィットレバー７０の穴７４及びブロック８８の長穴９６中に挿入する。これにより、第２フィットレバー７０及びブロック８８が下部フィットプレート４４の取り付け部５０に取り付けられたことになる。
【００３７】
次いで、メインフレーム２２の底壁２６のガイド溝中に下部フィットプレート４４のガイドレール４６をスライド挿入し、更にピン１０８をメインフレーム２２の穴６０、下部フィットプレート４４の長穴５２、第２フィットレバー７０の穴７２及びブロック８８の穴９４中に挿入する。
【００３８】
これにより、下部フィットプレート４４、第２フィットレバー７０及びブロック８８がメインフレーム２２に取り付けられたことになる。最後に、ピン１０６を第１フィットレバー６２のスロット６４及び第２フィットレバー７０の穴７６中に挿入し、第１フィットレバー６２と第２フィットレバー７０を連結して、ケース２０が完成する。
【００３９】
このケース２０中にＨＤＤ３０を挿入すると、ＨＤＤ３０はケース２０のメインフレーム２４内に何らのガタ無く丁度フィットし、図３及び図４に示すようなディスクドライブユニット１８が得られる。
【００４０】
図６を参照すると、第１及び第２フィットレバー６４，７０を起こした状態のディスクドライブユニット１８の側面図が示されている。この状態でディスクドライブユニット１８をシェルフ１４のガイドレール１６に沿って、シェルフ１４中に挿入する。
【００４１】
第１及び第２フィットレバー６４，７０が図６に示すように起こされた状態では、図８（Ａ）に示すように上部フィットプレート３６の各係合突起３７はメインフレーム２２の上壁２４の各係合突起３４の間に位置していることになる。
【００４２】
よって、上部フィットプレート３６とシェルフ１４との間には約０．５ｍｍ程度の隙間１１０が存在するため、第２フィットレバー７０を押すことによりディスクドライブユニット１８はシェルフ１４中に容易に挿入される。この状態では、図６に示すようにピン１０２，１０８はそれぞれ長穴４０，５２の右端に位置することになる。このときの上部フィットプレート３６と下部フィットプレート４４との間の距離はｗ１である。
【００４３】
この状態から第２フィットレバー７０を更に押しこむと、ピン１０６は第１フィットレバー６２のＣ形状スロット６４に沿って移動しながら第１フィットレバー６２も押しこまれる。
【００４４】
この第１及び第２フィットレバー６２，７０の押し込み動作に応じて、ディスクドライブユニット１８がシェルフ１４内に挿入されて行く。
【００４５】
図７に示すように、第１及び第２フィットレバー６２，７０を一杯に押しこむと、上部フィットプレート３６及び下部フィットプレート４４が図６及び図７で右方向にスライドし、第１及び第２フィットレバー６２，７０がメインフレーム２２の一対の前部プレート２８の間に収容される。このとき、ピン１０２，１０８はそれぞれ長穴４０，５２の左端に位置することになる。
【００４６】
上部フィットプレート３６及び下部フィットプレート４４が右方向にスライドすると，図８（Ｂ）に示すように上部フィットプレート３６の各係合突起３７が上壁２４の各係合突起３４に乗り上げることになる。
【００４７】
その結果、上部フィットプレート３６は上方（図６、図７、図８のｎ１方向）に移動し、シェルフ１４に強固に押しつけられることになる。下部フィットプレート４４も同様に下方（図６、図７のｎ２方向）に移動し、シェルフ１４に強固に押しつけられる。このときの上部フィットプレート３６と下部フィットプレート４４との間の距離はｗ２（＞ｗ１）である。
【００４８】
よって活性ディスクドライブユニット１８は全くガタ無くシェルフ１４内に強固に保持され、ディスクドライブユニット１８のスピンドルモータ等に起因する振動が増幅されることが無く、ヘッドのオフトラック障害を有効に回避することができる。
【００４９】
活性ディスクドライブユニット１８をシェルフ１４内から抜き取る場合には指をメインフレーム２２の前部プレート２８に形成された半円状切欠５６に入れて、第２フィットレバー７０を強く引っ張る。
【００５０】
これにより、ブロック７８の突起８０及びブロック８８の突起９０がシェルフ１４に係合し、第２フィットレバー７０を引くと梃子の原理で活性ディスクドライブユニット１８はシェルフ１４内から容易に抜き出される。
【００５１】
この抜き出された状態では、第１および第２フィットレバー６２，７０は図６に示すたち上がり位置となり、上部フィットプレート３６及び下部フィットプレート４４は左方に移動して、それぞれの係合突起３７、４８は上壁２４及び底壁２６の係合突起の間に位置付けされることになる。
【００５２】
図９を参照すると、本発明第２実施形態の活性ディスクドライブ用ケース２０´の分解斜視図が示されている。本実施形態はフィットプレートを片側にのみ有する場合であり、上述した第１実施形態と同一構成部分については同一符号を付して説明する。
【００５３】
メインフレーム１１２は開口２３と上壁１１４と、底壁２６と、上壁１１４及び底壁２６を連結する一対の前部プレート２８を含んでいる。本実施形態では、底壁２６にフィットプレート４４がスライド可能に取りつけられる。勿論、上壁２４にフィットプレート３６をスライド可能に取り付けてもよい。
【００５４】
よって、底壁２６の底面には、フィットプレート４４の一対のレール４６が挿入される一対のガイド溝と、フィットプレート４４の複数の係合突起４８と同一ピッチで形成された複数の係合突起が形成されている。上壁１１４にはこれらのガイド溝及び係合突起は形成されていない。
【００５５】
ケース２０´を組み立てるには、フィットプレート４４の一対の取りつけ部５０の間にフィットレバー７０´及びブロック８８を挿入し、ピン１０４をフィットレバー４４の取り付け部５０の長穴５４、フィットレバー７０´の穴７４及びブロック８８の長穴９６中に挿入する。これにより、フィットレバー７０´及びブロック８８がフィットプレート４４に取り付けられたことになる。
【００５６】
次いで、フィットプレート４４のレール４６を底壁２６のガイド溝中に挿入して、フィットプレート４４をメインフレーム１１２の底壁２６にスライド可能に取りつける。
【００５７】
更にピン１０８をメインフレーム１１２の前部プレート２８の穴６０、フィットプレート４４の長穴５２、フィットレバー７０´の穴７２及びブロック８８の穴９４中に挿入し、ディスクドライブ用ケース２０´が完成する。
【００５８】
本実施形態の作用については上述した第１実施形態と概略同様である。即ちフィットレバー７０´を引き起こすと、底壁２６に形成された係合突起がフィットプレート４４の係合突起４８の間に位置付けされる。この状態で、ケース２０´内にＨＤＤ３０を収容したディスクドライブユニット１８´をシェルフ１４内に挿入する。
【００５９】
フィットレバー７０´を押しながらディスクドライブユニット１８´をシェルフ１４内に挿入する。フィットレバー７０´が一対の前部プレート２８の間に収容される押し込み位置まで完全に倒されると、フィットプレート４４がスライドしてその係合突起４８がメインフレーム１１２の低壁２６に形成された係合突起に乗り上げる。
【００６０】
これにより、ケース２０´の高さ方向の距離が拡大し、ディスクドライブユニット１８´はシェルフ１４内で強固に保持されることになる。よって、スピンドルモータ等に起因する振動が増幅されることが無く、ヘッドのオフトラック障害を有効に回避することができる。
【００６１】
以上の説明では、活性ディスクドライブを内部に収容するディスクドライブ用ケースについて説明してきたが、本発明のケースの使用方法はこれに限定されるものではなく、一般的な電子機器を内部に収容することも可能である。
【００６２】
【発明の効果】
本発明の電子機器用ケースは以上詳述したように構成したので、例えば活性ディスクドライブユニットをコンピュータに搭載したシェルフ内で強固に固定することができ、スピンドルモータ等の振動に起因するヘッドの揺れが増幅されることが無く、ヘッドのオフトラック障害を有効に防止できる。
【図面の簡単な説明】
【図１】本発明が適用可能なサーバの外観斜視図である。
【図２】カバーを取り外した状態のサーバの外観斜視図であり、活性ディスクドライブユニットの実装方法を説明している。
【図３】本発明第１実施形態のディスクドライブ用ケースを使用した活性ディスクドライブユニットの斜視図である。
【図４】図３の反対側から見た活性ディスクドライブユニットの斜視図である。
【図５】本発明第１実施形態のディスクドライブ用ケースの分解斜視図である。
【図６】フィットレバーを起こした状態の活性ディスクドライブユニットの側面図である。
【図７】フィットレバーを倒した状態の活性ディスクドライブユニットの側面図である。
【図８】図８（Ａ）はフィットレバーを起こした状態の上壁とフィットプレートとの相互関係を説明する断面図、図８（Ｂ）はフィットレバーを倒した状態の上壁とフィットプレートとの相互関係を説明する断面図である。
【図９】本発明第２実施形態のディスクドライブ用ケースの分解斜視図である。
【符号の説明】
１４  シェルフ
１８  活性ディスクドライブユニット
２０  ケース
２２  メインフレーム
２４  上壁
２６  底壁
３０  ＨＤＤ
３４，４８  係合突起
３６  上部フィットプレート
４４  下部フィットプレート
６２  第１フィットレバー
７０  第２フィットレバー
７８，８８  ブロック
【図１】
0003936101.tif 000002
【図２】
0003936101.tif 000003
【図３】
0003936101.tif 000004
【図４】
0003936101.tif 000005
【図６】
0003936101.tif 000006
【図７】
0003936101.tif 000007
【図８】
0003936101.tif 000008
【図９】
0003936101.tif 000009
【図５】
0003936101.tif 000010